【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
アダプタであって、
第１のコネクタ結合部及び第２のコネクタ結合部を有するハウジングであって、前記ハウジングが、前記第１のコネクタ結合部の第１の端部に第１の開口部を有し、前記第１の開口部が、第１の光コネクタを受け入れるように構成され、前記ハウジングが、前記第２のコネクタ結合部の第１の端部に第２の開口部を有し、前記第２の開口部が、前記第１の開口部に対し反対方向を向いて、第２の光コネクタを受け入れるように構成され、前記ハウジングが、前記第１のコネクタ結合部と前記第２のコネクタ結合部との間に配置された第３の開口部を形成し、前記第３の開口部が、前記ハウジングを横断するように構成される、ハウジングと、
前記ハウジングの第１の表面に沿って結合されたホルダーであって、前記第３の開口部を通して可撓性材料を提供するように構成され、前記可撓性材料が、前記第１及び第２の光コネクタにおける前記光学媒体の屈折率に近い屈折率を有する、ホルダーと、
前記ハウジングの第２の表面に沿って結合された構造物であって、前記第２の表面が、前記第１の表面に対して反対方向を向いており、前記構造物が、前記可撓性材料の一端部分を支持するように構成される、構造物と
を含むアダプタ。
【請求項２】
前記第１の光コネクタ及び前記第２の光コネクタを各々のコネクタ結合部に挿入し、前記第１の光コネクタ及び前記第２の光コネクタが完全結合位置に近づくに従って、前記第１の光コネクタ及び前記第２の光コネクタの各々の光ポートが、接近経路に沿って互いに整合状態に近づくようにすることによって、前記第１の光コネクタ及び前記第２の光コネクタが、前記アダプタを介して互いに物理的に結合され、及び、前記ハウジング内において互いに光学的に結合される、請求項１に記載のアダプタ。
【請求項３】
前記第１の光コネクタ及び前記第２の光コネクタの各々の光ポートは、前記可撓性材料を横断する光通信リンクを形成する、請求項２に記載のアダプタ。
【請求項４】
前記ハウジングは、前記第１の開口部及び前記第２の開口部の中に、前記第１の光コネクタ及び前記第２の光コネクタの対応する表面と係合するための個々の表面を有するように構成され、前記第１のコネクタの前記光ポートが、前記可撓性材料の第１の表面と接触し、及び、前記第２のコネクタの前記光ポートが、前記可撓性材料の反対側の表面と接触するように構成される、請求項１〜３の何れか一項に記載のアダプタ。
【請求項５】
前記第３の開口部は、前記光コネクタのうちの一方における整合ピン間の離隔距離よりも大きい第１の距離を定義する、請求項１〜４の何れか一項に記載のアダプタ。
【請求項６】
前記第３の開口部は、前記可撓性材料の厚みよりも大きい第２の距離を定義する、請求項１〜５の何れか一項に記載のアダプタ。
【請求項７】
前記ハウジングに結合され、前記第１の表面の上方にある前記可撓性材料、及び前記第３の開口部を実質的に取り囲む第１のカバーをさらに含む、請求項１〜６の何れか一項に記載のアダプタ。
【請求項８】
前記ハウジングに結合され、前記第２の表面を通して前記第２の表面上の前記構造物、及び前記第３の開口部を実質的に取り囲む第２のカバーをさらに含む、請求項１〜７の何れか一項に記載のアダプタ。
【請求項９】
前記ホルダーは、第１のスプールを含む、請求項１〜８の何れか一項に記載のアダプタ。
【請求項１０】
前記構造物は、前記可撓性材料を切断するための縁部を含む、請求項１〜９の何れか一項に記載のアダプタ。
【請求項１１】
前記可撓性材料の一端を前記ハウジングの前記第２の表面に接触させ、固定するように構成されたクランプをさらに含む、請求項１０に記載のアダプタ。
【請求項１２】
前記構造物は、第２のスプールを含む、請求項１〜１１の何れか一項に記載のアダプタ。
【請求項１３】
前記第１のスプール及び前記第２のスプールのうちの一方は、ブレーキに係合する、請求項１２に記載のアダプタ。
【請求項１４】
光コネクタの光ポートをクリーニングする方法であって、
第１の光コネクタの光ポートを受け入れるように構成された第１の開口部を有するアダプタを用意するステップであって、前記アダプタが、前記第１の開口部に対して反対方向を向いた第２の開口部を含み、前記第２の開口部が、第２の光コネクタの光ポート端を受け入れるように構成され、前記ハウジングが、前記ハウジングの第１の表面から反対側の表面まで延びるスロットを形成し、前記スロットが、前記スロットに配置された可撓性材料のシートを有する、アダプタを用意するステップと、
前記第１の光コネクタの前記光ポート端を前記第１の開口部に挿入し、前記光ポート端が、前記可撓性材料に接触するようにするステップと、
前記可撓性材料を前記第１の光コネクタの前記光ポート端に沿って前進させるステップと
を含む方法。
【請求項１５】
前記第１の開口部から前記第１の光コネクタの前記光ポート端を取り除くステップと、
前記第２の光コネクタの前記光ポート端を前記第２の開口部に挿入し、前記光ポート端が、前記可撓性部材に接触するようにするステップと、
前記可撓性材料を前記第２の光コネクタの前記光ポート端に沿って前進させるステップと
をさらに含む、請求項１４に記載の方法。
【請求項１６】
前記第２の開口部から前記第２の光コネクタの前記光ポート端を取り除くステップと、
前記第１及び第２の光コネクタの各々の前記光ポート端を再挿入し、前記光ポート端が前記可撓性材料の反対方向を向いた面に接触するようにするステップと
をさらに含む、請求項１５に記載の方法。
【請求項１７】
前記第２の光コネクタの前記光ポート端を前記第２の開口部に挿入し、前記光ポート端が、前記可撓性材料に接触するようにするステップと、
前記第２の光コネクタの前記光ポート端に沿って前記可撓性材料を前進させるステップと
をさらに含む、請求項１４に記載の方法。
【請求項１８】
前進は、ブレーキとの係合を解除した後に実施される、請求項１７に記載の方法。
【請求項１９】
前記可撓性材料を前進させるステップは、前記可撓性材料を引っ張ることを含む、請求項１７に記載の方法。
【請求項２０】
前記可撓性材料の一端をスプールに結合するステップと、
前記スプールを回転させるステップと
をさらに含む、請求項１９に記載の方法。
【請求項２１】
光コネクタ内への光学的な後方反射を低減する方法であって、
第１の表面及び反対方向を向いた表面を含む可撓性材料を用意するステップであって、前記可撓性材料が、前記第１及び第２の光コネクタにおける光透過性媒体の屈折率に近い屈折率を有し、前記可撓性材料が、前記光透過媒体を介して伝送されるある範囲の波長の光に対して透過性である、圧縮可能な材料を用意するステップと、
前記第１のコネクタの光ポート端を前記第１の表面に接触した状態に配置するステップと、
前記第２の光コネクタの光ポート端を前記反対方向を向いた表面に接触した状態に配置するステップと
を含む方法。
【手続補正２】
【補正対象書類名】明細書
【補正対象項目名】００５７
【補正方法】変更
【補正の内容】
【００５７】
本発明の例示的実施形態を以下に列挙する。
１．アダプタであって、
第１のコネクタ結合部及び第２のコネクタ結合部を有するハウジングであって、前記ハウジングが、前記第１のコネクタ結合部の第１の端部に第１の開口部を有し、前記第１の開口部が、第１の光コネクタを受け入れるように構成され、前記ハウジングが、前記第２のコネクタ結合部の第１の端部に第２の開口部を有し、前記第２の開口部が、前記第１の開口部に対し反対方向を向いて、第２の光コネクタを受け入れるように構成され、前記ハウジングが、前記第１のコネクタ結合部と前記第２のコネクタ結合部との間に配置された第３の開口部を形成し、前記第３の開口部が、前記ハウジングを横断するように構成される、ハウジングと、
前記ハウジングの第１の表面に沿って結合されたホルダーであって、前記第３の開口部を通して可撓性材料を提供するように構成され、前記可撓性材料が、前記第１及び第２の光コネクタにおける前記光学媒体の屈折率に近い屈折率を有する、ホルダーと、
前記ハウジングの第２の表面に沿って結合された構造物であって、前記第２の表面が、前記第１の表面に対して反対方向を向いており、前記構造物が、前記可撓性材料の一端部分を支持するように構成される、構造物と
を含むアダプタ。
２．前記第１の光コネクタ及び前記第２の光コネクタを各々のコネクタ結合部に挿入し、前記第１の光コネクタ及び前記第２の光コネクタが完全結合位置に近づくに従って、前記第１の光コネクタ及び前記第２の光コネクタの各々の光ポートが、接近経路に沿って互いに整合状態に近づくようにすることによって、前記第１の光コネクタ及び前記第２の光コネクタが、前記アダプタを介して互いに物理的に結合され、及び、前記ハウジング内において互いに光学的に結合される、１に記載のアダプタ。
３．前記第１の光コネクタ及び前記第２の光コネクタの各々の光ポートは、前記可撓性材料を横断する光通信リンクを形成する、２に記載のアダプタ。
４．前記ハウジングは、前記第１の開口部及び前記第２の開口部の中に、前記第１の光コネクタ及び前記第２の光コネクタの対応する表面と係合するための個々の表面を有するように構成され、前記第１のコネクタの前記光ポートが、前記可撓性材料の第１の表面と接触し、及び、前記第２のコネクタの前記光ポートが、前記可撓性材料の反対側の表面と接触するように構成される、１に記載のアダプタ。
５．前記第３の開口部は、前記光コネクタのうちの一方における整合ピン間の離隔距離よりも大きい第１の距離を定義する、１に記載のアダプタ。
６．前記第３の開口部は、前記可撓性材料の厚みよりも大きい第２の距離を定義する、５に記載のアダプタ。
７．前記ハウジングに結合され、前記第１の表面の上方にある前記可撓性材料、及び前記第３の開口部を実質的に取り囲む第１のカバーをさらに含む、１に記載のアダプタ。
８．前記ハウジングに結合され、前記第２の表面を通して前記第２の表面上の前記構造物、及び前記第３の開口部を実質的に取り囲む第２のカバーをさらに含む、７に記載のアダプタ。
９．前記ホルダーは、第１のスプールを含む、１に記載のアダプタ。
１０．前記構造物は、前記可撓性材料を切断するための縁部を含む、１に記載のアダプタ。
１１．前記可撓性材料の一端を前記ハウジングの前記第２の表面に接触させ、固定するように構成されたクランプをさらに含む、１０に記載のアダプタ。
１２．前記構造物は、第２のスプールを含む、１に記載のアダプタ。
１３．前記第１のスプール及び前記第２のスプールのうちの一方は、ブレーキに係合する、１２に記載のアダプタ。
１４．光コネクタの光ポートをクリーニングする方法であって、
第１の光コネクタの光ポートを受け入れるように構成された第１の開口部を有するアダプタを用意するステップであって、前記アダプタが、前記第１の開口部に対して反対方向を向いた第２の開口部を含み、前記第２の開口部が、第２の光コネクタの光ポート端を受け入れるように構成され、前記ハウジングが、前記ハウジングの第１の表面から反対側の表面まで延びるスロットを形成し、前記スロットが、前記スロットに配置された可撓性材料のシートを有する、アダプタを用意するステップと、
前記第１の光コネクタの前記光ポート端を前記第１の開口部に挿入し、前記光ポート端が、前記可撓性材料に接触するようにするステップと、
前記可撓性材料を前記第１の光コネクタの前記光ポート端に沿って前進させるステップと
を含む方法。
１５．前記第１の開口部から前記第１の光コネクタの前記光ポート端を取り除くステップと、
前記第２の光コネクタの前記光ポート端を前記第２の開口部に挿入し、前記光ポート端が、前記可撓性部材に接触するようにするステップと、
前記可撓性材料を前記第２の光コネクタの前記光ポート端に沿って前進させるステップと
をさらに含む、１４に記載の方法。
１６．前記第２の開口部から前記第２の光コネクタの前記光ポート端を取り除くステップと、
前記第１及び第２の光コネクタの各々の前記光ポート端を再挿入し、前記光ポート端が前記可撓性材料の反対方向を向いた面に接触するようにするステップと
をさらに含む、１５に記載の方法。
１７．前記第２の光コネクタの前記光ポート端を前記第２の開口部に挿入し、前記光ポート端が、前記可撓性材料に接触するようにするステップと、
前記第２の光コネクタの前記光ポート端に沿って前記可撓性材料を前進させるステップと
をさらに含む、１４に記載の方法。
１８．前進は、ブレーキとの係合を解除した後に実施される、１７に記載の方法。
１９．前記可撓性材料を前進させるステップは、前記可撓性材料を引っ張ることを含む、１７に記載の方法。
２０．前記可撓性材料の一端をスプールに結合するステップと、
前記スプールを回転させるステップと
をさらに含む、１９に記載の方法。
２１．光コネクタ内への光学的な後方反射を低減する方法であって、
第１の表面及び反対方向を向いた表面を含む圧縮可能な材料を用意するステップであって、前記可撓性材料が、前記第１及び第２の光コネクタにおける光透過性媒体の屈折率に近い屈折率を有し、前記圧縮可能な材料が、前記光透過媒体を介して伝送されるある範囲の波長の光に対して透過性である、圧縮可能な材料を用意するステップと、
前記第１のコネクタの光ポート端を前記第１の表面に接触した状態に配置するステップと、
前記第２の光コネクタの個々の光ポート端を前記反対方向を向いた表面に接触した状態に配置するステップと
を含む方法。